(57)【特許請求の範囲】
【請求項１】
金額データが記録されたプリペイドカードと、
該プリペイドカードに記録された金額データを読み込む読み取り手段と、
該読み取り手段により読み込まれた金額データが大きい場合、当該金額データよりも小さい金額の単価よりも低い給油単価を選択する単価選択手段と、
該単価選択手段により選択された給油単価で前記プリペイドカードに記録された金額データを割った給油可能量を算出してプリセットする給油可能量プリセット手段と、
該給油可能量プリセット手段によりプリセットされた給油可能量以内の給油制御を行う計量機と、
給油終了後、前記プリペイドカードに前記金額データから給油金額を差し引いた残金データを書き込む書き込み手段と、
を備えてなることを特徴とする給油システム。
【請求項２】
紙幣が挿入されると、当該紙幣の金額を読み込む紙幣識別手段を設けてなり、
前記単価選択手段は、前記読み取り手段により読み込まれた金額データに前記紙幣識別手段により読み込まれた紙幣の入金金額を加算した金額を新たな金額データとし、当該金額データに対応する給油単価を選択することを特徴とする請求項１に記載の給油システム。
【請求項３】
前記単価選択手段は、予めメモリに記憶された単価あるいは割引率を読み込み、当該単価あるいは割引率に基づき前記金額データに対応する給油単価を選択することを特徴とする請求項１または２に記載の給油システム。
【発明の詳細な説明】
【０００１】
【発明の属する技術分野】
本発明は、給油システムに係り、特にプリペイドカードを用いて給油を行うセルフサービス方式の計量機が設置された給油システムに関する。
【０００２】
【従来の技術】
例えば、セルフサービス方式の計量機が設置された給油所等では、運転者（顧客）自身が給油作業の設定、給油作業、給油料金の精算を行うようになっている。そのため、運転者は、給油を行う前に給油する油種や給油量等のスイッチを有する設定器により所定の油種、給油量または給油金額を入力する設定操作を行った後、給油料金の精算方法を指定するようになっている。給油料金の精算方法としては、現金で支払う方法、クレジットカードで支払う方法、プリペイドカードで支払う方法等がある。そして、セルフサービス方式の計量機の近傍に給油金額の自動支払機が設けられていない場合には、運転者は給油後に給油所の事務所に移動して上記支払い方法の何れかの方法で給油料金の精算を行う。
【０００３】
また、セルフサービス方式の計量機の近傍に給油金額の自動支払機が設けられているアイランド精算方式の場合には、給油場所で給油料金の精算を行うことができる。この自動支払機は、紙幣挿入部及び硬貨挿入部が設けられ、挿入された紙幣及び硬貨の種類を鑑別する鑑別部と、プリペイドカードが挿入、排出されるカードリーダ・ライタと有し、挿入された現金の金額あるいはプリペイドカードに記録された金額を表示する表示部とを有する。
【０００４】
そして、アイランド精算方式の給油システムでは、給油前に予め給油量または給油金額をプリセットする場合、運転者は、まず自動支払機に紙幣（１万円札、５千円札等）を紙幣挿入部に挿入すると入金された金額が紙幣リーダにより読み取られ、その金額が表示部に表示された後、所望の油種（レギュラー、ハイオク、軽油等）を入力し、入金金額に応じた所望の給油量（１０リットル、２０リットル等）または給油金額（２千円、３千円等）を入力することで、計量機が給油可能状態になる。
【０００５】
また、アイランド精算方式の給油システムでは、プリペイドカードがカードリーダ・ライタに挿入されると、プリペイドカードに記録された金額が表示部に表示されると共に、当該金額のプリセット給油が自動的に設定される。そして、所望の油種（レギュラー、ハイオク、軽油等）を入力すると、給油が開始される。車両への給油量がプリセット給油量に達する前に満タンとなって自動停止になった場合、給油終了後、プリペイドカードに記録された金額から給油金額を減算した金額をプリペイドカードに書き込んでプリペイドカードを返却する。
【０００６】
また、プリペイドカードに記録されている金額が少ない場合には、プリペイドカードをカードリーダ・ライタに挿入した後、現金を紙幣挿入部に挿入することにより給油可能な金額を加算することができる。そして、給油終了後、釣り銭がある場合には、プリペイドカードに釣り銭の金額を書き込むことになる。
【０００７】
【発明が解決しようとする課題】
ところが、上記のようなプリペイドカードが挿入される自動支払機が備えられたアイランド精算方式の給油システムでは、給油終了後にプリペイドカードに記憶されている金額から給油金額を減算して残金データをプリペイドカードの記録部に書き込んでプリペイドカードを返却するようになっているため、プリペイドカードに記憶されている金額分の給油量のみを給油した場合には、プリペイドカードの記録部に金額ゼロのデータを書き込んでプリペイドカードを返却することになる。
【０００８】
プリペイドカードは、リライト可能な磁気カードからなるため、例えば、３０〜４０回程度であれば、再利用可能である。しかしながら、給油終了後、金額ゼロのプリペイドカードを受け取った顧客は、そのままプリペイドカードを再利用せずに廃棄してしまうことが多く、新規に新しいプリペイドカードを購入する場合が多いので、プリペイドカードをリサイクルする可能性が低いという問題があった。
そこで、本発明は上記課題を解決した給油システムを提供することを目的とする。
【０００９】
【課題を解決するための手段】
本発明は上記課題を解決するため、以下のような特徴を有する。
【００１３】
上記請求項１記載の発明は、プリペイドカードに記録された金額データが大きい場合、当該金額データよりも小さい金額の単価よりも低い給油単価を選択し、選択された給油単価でプリペイドカードに記録された金額データを割った給油可能量を算出してプリセットするものであり、例えば、高額紙幣が挿入された場合には、低額紙幣が挿入された場合よりも給油単価を下げることで割引率を高めてプリペイドカードのリサイクルを促進して資源の再利用効率を高めることができる。
上記請求項２記載の発明は、読み取り手段により読み込まれた金額データに紙幣識別手段により読み込まれた紙幣の入金金額を加算した金額を新たな金額データとし、当該金額データに対応する給油単価を選択するものであり、給油前に紙幣を挿入してプリペイドカードの金額データを増額することで給油単価を増額した金額に応じた単価に変更することが可能になり、プリペイドカードのリサイクルを促進して資源の再利用効率を高めることができる。
上記請求項３記載の発明は、予めメモリに記憶された単価あるいは割引率を読み込み、当該単価あるいは割引率に基づき金額データに対応する給油単価を選択するものであり、プリペイドカードの金額データに応じた給油単価あるいは割引率で給油することが可能になり、プリペイドカードのリサイクルを促進して資源の再利用効率を高めることができる。
【００１４】
【発明の実施の形態】
以下、図面と共に本発明の実施の形態について説明する。
図１は本発明になる給油システムの一実施例の構成を示すブロック図である。
図１に示されるように、給油システム１０は、大略、給油エリア１１に複数のセルフサービス給油方式の計量機１２（１２１〜１２ｎ）と、各計量機１２（１２１〜１２ｎ）に設けられた設定器１４（１４１〜１４ｎ）と、事務所１６内に設置された管理コンピュータ１８とからなる。
【００１５】
設定器１４（１４１〜１４ｎ）は、セルフサービスユニットとも呼ばれており、各計量機１２（１２１〜１２ｎ）に付設されている。また、設定器１４（１４１〜１４ｎ）は、給油を行う操作者（顧客）が所望する油種、給油量または給油金額を入力することにより各計量機１２（１２１〜１２ｎ）での給油を可能にする。尚、管理コンピュータ１８は、計量機１２（１２１〜１２ｎ）及び設定器１４（１４１〜１４ｎ）と通信回線（ＳＳ−ＬＡＮ）２０を介して接続されている。
【００１６】
また、給油所の管理コンピュータ１８は、釣り銭機２４と接続されている。釣り銭機２４は、セルフサービス給油を行った顧客が釣り銭を必要な場合、設定器１４から発行されたレシート（伝票）に記載された釣り銭の金額を現金で払い戻す。
【００１７】
給油所に到着した車両の運転者（顧客）は、まず給油エリア１１の空いている計量機１２の前に車両を停車させてから設定器１４の設定操作を行う。そして、設定器１４は、紙幣または給油カード（プリペイドカード）が挿入されて油種が選択されると、管理コンピュータ１８へ設定データ（油種、入金金額）を送信する。これに対し、管理コンピュータ１８は、当該給油ポイントの計量機１２へ給油許可信号を出力する。これで、計量機１２は、給油可能な状態になり、顧客は計量機１２の給油ノズルを車両の給油口（図示せず）に挿入して給油を開始することができる。
【００１８】
図２は設定器１４の概略構成を示すブロック図である。
図２に示されるように、設定器１４は、油種入力部２６と、油種設定部２８と、紙幣挿入部３０と、紙幣識別部３２と、カード挿入部３４と、カードリーダ・ライタ３６と、カード発券スイッチ釦３７と、確認スイッチ釦３８と、キャンセルスイッチ３９と、油種表示部４０と、入金金額表示部４２と、単価表示部４３と、給油ランプ４４と、レシート発行部４６と、スピーカ４８と、レシート発行釦５０と、釣り銭ランプ５２と、これらを制御する制御部５４とを有する。
【００１９】
油種入力部２６は、操作者が給油する油種（レギュラーガソリン、ハイオクガソリン、軽油のいずれか）を指定するものであり、油種設定部２８は油種入力部２６により入力された油種を今回給油する油種情報として設定する。
【００２０】
紙幣挿入部３０には、給油前に現金１万円札、５千円札、２千円札、千円札のいずれかが挿入される。そして、紙幣識別部３２では、紙幣挿入部３０に挿入された紙幣の鑑定を行って、紙幣の入金金額を検出する。
【００２１】
また、カード挿入部３４は、給油料金を給油カード（プリペイドカード）で清算する場合、給油カードが挿入される。そして、カードリーダ・ライタ３６では、カード挿入部３４に挿入された給油カードに記録された金額データ（残金データ）または金額に対応する度数データを読み取り、給油終了後に給油金額を差し引いた残金を書き込む。また、カード発券スイッチ３７は、新しい給油カードを購入する際に操作されるスイッチであり、例えば、千円、２千円、５千円、一万円といった入金された紙幣金額に応じた金額データが書き込まれた新しい給油カードを取得するためのものである。
【００２２】
確認スイッチ釦３８は、油種表示部４０に表示された油種及び入金金額表示部４２に表示された入金金額を確認されると、押圧操作される。単価表示部４３は、各油種毎の１リットル当りの料金を表示する。また、キャンセルスイッチ釦３９は、入力した設定事項（油種や入金金額）をキャンセルする際に操作されるスイッチである。
【００２３】
レシート発行部４６は、給油終了後、給油した油種、給油量、給油金額、入金金額、釣り銭金額を印字したレシートを発行する。スピーカ４８は、油種設定の操作方法や入金方法や釣り銭を受け取る場合の方法を音声でガイダンスする。
【００２４】
レシート発行スイッチ釦５０は、給油終了後に顧客がレシート発行を希望する場合に押圧操作されるものである。また、釣り銭ランプ５２は、給油終了後に点灯してお釣りがあることを顧客に報知するものである。
【００２５】
また、制御部５４のメモリには、後述するように、給油カードの金額データが予め設定された所定の下限値以下になったことを検知する制御プログラムＩ（検知手段）が格納されている。さらに、制御部５４のメモリには、プリペイドカードの金額データが所定下限金額以下になったことが検出された場合に予め決められた所定金額のデータを金額データに加算し、加算された金額データをプリペイドカードに書き込む制御プログラムII（加算手段）と、給油カードの金額データが所定の下限値以下である場合、現金による入金をガイダンスする制御プログラムIII（ガイダンス手段）と、給油カードに記録された金額データが所定値以下になったとき、現金の入金を促す制御プログラムIV（報知手段）とが格納されている。
【００２６】
図３は設定器１４に設けられた操作パネルの一例を示す正面図である。
図３に示されるように、設定器１４の操作パネル５６は、▲１▼紙幣／給油カードを入れる、▲２▼投入金額を確認します、▲３▼給油の場合→油種を押す、発券の場合→発券釦を押す、▲４▼レシートが必要な方は給油後ボタンを押して下さい、といった操作手順が記載されている。
さらに、「▲１▼紙幣／給油カードを入れる」の欄には、紙幣挿入部３０と、カード挿入部３４とが配置されている。
「▲２▼投入金額を確認します」の欄には、入金金額表示部４２と、単価表示部４３が設けられている。
【００２７】
「▲３▼給油の場合→油種を押す」の欄には、給油する油種を指定するための油種入力部２６として軽油選択スイッチ釦５８、ハイオク選択スイッチ釦６０、レギュラー選択スイッチ釦６２が配置されている。また、軽油選択スイッチ釦５８、ハイオク選択スイッチ釦６０、レギュラー選択スイッチ釦６２は、ランプが内蔵されており、後述するようにオンに操作されると点灯して選択された油種であることを表示する。
「▲３▼発券の場合→発券釦を押す」の欄には、カード発券スイッチ釦３７と、確認スイッチ釦３８と、キャンセルスイッチ釦３９とが設けられている。
「▲４▼レシートが必要な方は給油後ボタンを押して下さい」の欄には、レシート発行部４６と、レシート発行スイッチ釦５０とが設けられている。
【００２８】
図４は給油カードの裏面に記載される給油料金支払いデータの一例を示す図である。
図４に示されるように、給油カード７１は、磁気カードからなり給油金額を上書きできるリライト方式のプリペイドカードである。そして、給油カード７１の裏面には、給油料金を支払うための金額（残金）データが印字されている。この金額（残金）データは、３０回まで印字することができる。従って、給油カード７１の裏面に記載された金額（残金）データにより過去の給油料金の支払い状況を確認することができる。
また、給油カード７１は、表面に金額データが磁気記録される磁性材が被覆された磁気記録部（図示せず）が形成されている。そのため、カードリーダ・ライタ３６は、給油カード７１が挿入されると、磁気記録された残金データ（残金金額）を読み取ることができると共に、給油終了後に給油料金を差し引いた金額を給油料金清算後の残金データとして更新できる。
【００２９】
また、カードリーダ・ライタ３６は、給油カード７１に記録された金額が給油されて残金がゼロになったとき、サービス金額として例えば、５０円を追加金額として残金データに加算して記録すると共に、給油カード７１の裏面にサービス金額を印字する。
【００３０】
次に、設定器１４の制御部５４が実行する制御処理について説明する。
図５は設定器１４の制御部５４が実行する給油カード発券処理を説明するためのフローチャートである。図６は給油カード７１を用いて給油料金を精算する場合の給油処理の参考例を説明するためのフローチャートである。
図５に示されるように、制御部５４は、ステップＳ１１（以下「ステップ」を省略する）で紙幣が紙幣挿入部３０に挿入されたかどうかをチェックする。
このＳ１１において、紙幣が紙幣挿入部３０に挿入されないときは、Ｓ１２に進み、給油カード７１がカード挿入部３４に挿入されたかどうかをチェックする。また、Ｓ１２で給油カード７１がカード挿入部３４に挿入されないときは、Ｓ１１に戻る。そして、Ｓ１１において、紙幣挿入部３０に挿入された紙幣が紙幣識別部３２で識別されると、給油料金を現金で精算するものと判断してＳ１３に進み、挿入された紙幣の金額（入金金額）を読み込む。
【００３１】
次のＳ１４では、油種選択操作が行われたかどうかをチェックする。Ｓ１４で油種選択操作が行われないときは、Ｓ１５に移行してカード発券スイッチ釦３７がオンに操作されたかどうかをチェックする。Ｓ１５でカード発券スイッチ釦３７がオンに操作されないときは、上記Ｓ１４に戻る。しかし、Ｓ１５において、カード発券スイッチ釦３７がオンに操作されたときは、カード発行操作を行ったものと判断してＳ１６に進み、新しい給油カード７１に今回入金された金額データをカードリーダ・ライタ３６により磁気記録する。そして、新しい給油カード７１を発行する。
【００３２】
尚、新しい給油カード７１を発行する場合には、入金金額を受け付ける最低金額が予め設定されており、例えば２千円が最低金額に設定されている場合、２千円以上の入金があったときに新しい給油カード７１を発行することができる。
【００３３】
Ｓ１８では、発行された新しい給油カード７１が引き抜かれると顧客が新しい給油カード７１を受領したものと判断してカード発行処理を終了する。尚、Ｓ１８で新しい給油カード７１が引き抜かれない場合は、Ｓ１９で警報（アラーム）を発して顧客に給油カード７１が受領されていないことを注意してカード忘れを防止する。
【００３４】
また、上記Ｓ１４において、軽油選択スイッチ釦５８、ハイオク選択スイッチ釦６０、レギュラー選択スイッチ釦６２の何れか一つがオンに操作されたときは油種選択が行われたものと判断してＳ２０に進み、紙幣挿入部３０に挿入された紙幣の入金金額に応じた給油量の設定を行う。
【００３５】
次のＳ２０ａでは、油種選択した後に、キャンセルスイッチ３９がオンに操作されたかどうかをチェックする。顧客は、入金金額あるいは油種の設定を間違えたときは、キャンセルスイッチ３９がオンに操作して最初からやり直すことができる。従って、Ｓ２０ａでキャンセルスイッチ３９がオンに操作されたときは、Ｓ２０ｃに進み、投入された紙幣を返却する。
【００３６】
また、Ｓ２０ａにおいて、キャンセルスイッチ３９がオンに操作されないときは、Ｓ２０ｂに進み、確認スイッチ釦３８がオンに操作されたかどうかをチェックする。Ｓ２０ｂにおいて、確認スイッチ釦３８がオンに操作されると、入金金額及び油種の設定が正しいことが確認され、管理コンピュータ１８へ設定された入金金額及び油種を送信してＳ２１に進む。
【００３７】
次のＳ２１では、管理コンピュータ１８からの給油許可信号を待っており、管理コンピュータ１８では設定器１４から送信された紙幣金額、油種、給油量によって給油許可信号を当該給油ポイントへ送信する。そして、Ｓ２１において、給油許可信号が取得できると、Ｓ２２に進み、選択された油種の給油ポンプを起動、流量計からの流量パルスの積算などの給油処理を行う。
【００３８】
Ｓ２３では、給油終了か否かをチェックする。Ｓ２３において、当該計量機１２の給油ノズルがノズル掛けに戻されると、給油が終了したものと判断する。
【００３９】
給油が終了すると、Ｓ２３ａで入金金額から給油料金を差し引いて釣り銭の有無を判定する。Ｓ２３において、釣り銭があるときは、Ｓ２３ｂに進み、釣り銭ランプ５２を点灯させる。これで、顧客は、釣り銭があることを確認できる。
【００４０】
次のＳ２４では、レシート発行スイッチ釦５０がオンに操作されたか否かをチェックする。Ｓ２４において、レシート発行スイッチ釦５０がオンに操作されないときは、予め設定された所定時間が経過したかどうかをチェックする。そして、Ｓ２５において、所定時間が経過していないときは、Ｓ２６に進み、カード発券スイッチ釦３７がオンに操作されたかどうかをチェックする。
【００４１】
上記Ｓ２４において、レシート発行スイッチ釦５０がオンに操作されたとき、あるいはＳ２５において、所定時間が経過したときは、Ｓ２７に進み、レシート発行部４６から給油ポイント、給油量、油種、給油料金、入金金額、釣り銭金額等が記載されたレシートを発行する。また、上記Ｓ２６において、カード発券スイッチ釦３７がオンに操作されたときは、Ｓ２８に進み、紙幣挿入部３０に挿入された紙幣金額から今回給油した給油金額を差し引いた釣り銭の金額をカードリーダ・ライタ３６により給油カード７１の裏面に書き込むと共に、給油カード７１の磁気記録部に今回の釣り銭金額を記録する。そして、Ｓ２９では、釣り銭金額データが磁気記録部に記録され、且つ裏面に釣り銭金額が書き込まれた給油カード７１を顧客に発行する。
【００４２】
次に、給油カード７１を用いて給油料金を精算する場合の給油処理の参考例について、図６を参照して説明する。
また、上記Ｓ１２において、給油カード７１がカード挿入部３４に挿入されたときは、給油料金をカードで精算するものと判断して図６のＳ３１に進み、給油カード７１に記録された金額データを読み出す。続いて、Ｓ３２に進み、油種選択されたことを確認する。Ｓ３２において、軽油選択スイッチ釦５８、ハイオク選択スイッチ釦６０、レギュラー選択スイッチ釦６２の何れか一つがオンに操作されたときは油種選択が行われたものと判断してＳ３３に進み、給油カード７１から読み出した金額データを油種単価で割って給油可能量としてのプリセット給油量を演算する。
【００４３】
次のＳ３４では、計量機１２のノズルスイッチ（図示せず）がオンになったかどうかをチェックする。Ｓ３４において、計量機１２のノズルスイッチ（図示せず）がオンになると、給油ノズルが計量機１２のノズル掛け（図示せず）から外されて給油可能な状態になったものと判断する。
【００４４】
次のＳ３５では、給油開始と共に、計量機１２に内蔵された流量計からの流量パルスを積算して流量計測を行う。続いて、Ｓ３６では、計測された流量値がプリセット給油量に達したかどうかをチェックする。Ｓ３６において、計測された流量値がプリセット給油量に達していないときは、Ｓ３７に進み、計量機１２のノズルスイッチ（図示せず）がオフになったかどうかをチェックする。Ｓ３４において、計量機１２のノズルスイッチ（図示せず）がオンであるときは、給油ノズルが計量機１２のノズル掛け（図示せず）から外されて給油中であるので上記Ｓ３６に戻る。
【００４５】
しかし、Ｓ３４において、計量機１２のノズルスイッチ（図示せず）がオフであるときは、給油ノズルが計量機１２のノズル掛け（図示せず）に戻されたものと判断してＳ３８に進む。Ｓ３８では、計量機１２のポンプ（図示せず）を停止させて給油停止させる。続いて、Ｓ３９で給油カード７１に記録された金額データから今回給油された料金を減算して残金金額を演算する。そして、Ｓ４０に進み、残金金額データを給油カード７１の磁気記録部に記録する。その後、Ｓ４６に進み、給油カード７１をカード挿入部３４から排出する。
【００４６】
また、上記Ｓ３６において、計測された流量値がプリセット給油量に達したときは、Ｓ４１に進み、計量機１２のポンプ（図示せず）を停止させて給油停止させる。続いて、Ｓ４２では、計量機１２のノズルスイッチ（図示せず）がオフになったかどうかをチェックする。Ｓ４２において、計量機１２のノズルスイッチ（図示せず）がオフであるときは、給油ノズルが計量機１２のノズル掛け（図示せず）に戻されたことを確認してＳ４３に進む。
【００４７】
Ｓ４３では、給油開始時の給油カード７１に記録された金額データ（残金）が５千円未満かどうかをチェックする。Ｓ４３において、給油開始時の給油カード７１に記録された金額データ（残金）が５千円未満であるときは、Ｓ４４に進み、予めメモリ（図示せず）に登録された５千円未満に対応するサービス金額（キャッシュバックポイント）を読み込む。
【００４８】
続いて、Ｓ４５に進み、給油カード７１の磁気記録部に５千円未満に対応するサービス金額を残金データとして書き込むと共に、給油カード７１の裏面には残金データを印字する（図４参照）。そして、Ｓ４６に進み、給油カード７１をカード挿入部３４から排出する。
【００４９】
また、上記Ｓ４３において、給油開始時の給油カード７１に記録された金額データ（残金）が５千円以上であるときは、Ｓ４７に進み、予めメモリ（図示せず）に登録された５千円以上に対応するサービス金額を読み込む。
【００５０】
続いて、Ｓ４５に進み、給油カード７１の磁気記録部に５千円以上に対応するサービス金額を残金データとして書き込むと共に、給油カード７１の裏面には残金データを印字する（図４参照）。そして、Ｓ４６に進み、給油カード７１をカード挿入部３４から排出する。
【００５１】
このように、給油前に読み込まれた給油カード７１に記録された金額データ（残金）に応じたサービス金額を給油カード７１の磁気記録部に残金データとして書き込むため、給油カード７１の残金データがゼロにならず、給油カード７１の裏面には残金データを印字するため、利用者である顧客は、給油カード７１を廃棄せずに次回もこの給油カード７１を再利用することになる。そのため、給油カード７１のリサイクルを促進して資源の再利用効率を高めることができる。
【００５２】
次に、本発明の別の参考例について説明する。
図７は制御処理の別の参考例を説明するためのフローチャートである。尚、図７において、Ｓ５１〜Ｓ６０の処理は、前述した図６のＳ３１〜Ｓ３８、Ｓ４１，Ｓ４２の処理と同様であるので、その説明は省略する。
図７において、Ｓ６１では、給油開始時の給油カード７１に記録された金額データ（残金）が所定金額未満、例えばガソリン１リットル当りの単価である１００円未満かどうかをチェックする。Ｓ６１において、給油開始時の給油カード７１に記録された金額データ（残金）が１００円未満であるときは、Ｓ６２に進み、顧客に対して現金の入金が必要であることをガイダンス表示して報知する。続いて、Ｓ６３で前回の入金金額を読み込む。
【００５３】
次のＳ６４では、予めメモリに登録された前回の入金金額に対応するサービス金額（キャッシュバックポイント）を読み込む。従って、前回入金された金額が例えば１万円の場合のサービス金額と、５千円の場合のサービス金額とでは、１万円の場合の方がサービス金額が多くなるように設定されている。
【００５４】
続いて、Ｓ６５に進み、残金（現金の入金があったときは、追加入金を加算した金額）にサービス金額を加算した金額データを給油カード７１の磁気記録部に残金データとして書き込むと共に、給油カード７１の裏面には残金データを印字する（図４参照）。そして、Ｓ６６に進み、給油カード７１をカード挿入部３４から排出する。
【００５５】
また、上記Ｓ６１において、給油開始時の給油カード７１に記録された金額データ（残金）が１００円以上であるときは、Ｓ６７に進み、給油前に読み込んだ金額データから給油料金を減算して残金を演算し、Ｓ６８に進み、演算で求まった給油終了後の残金データを給油カード７１の磁気記録部に書き込むと共に、給油カード７１の裏面には当該残金データを印字する（図４参照）。そして、Ｓ６６に進み、給油カード７１をカード挿入部３４から排出する。
【００５６】
このように、別の参考例では、給油前に読み込まれた給油カード７１に記録された金額データ（残金）が所定金額以下であるときは、前回の入金金額の大きさに応じたサービス金額を給油カード７１の磁気記録部に残金データとして書き込むため、給油カード７１の残金データがゼロにならず、給油カード７１の裏面には加算された残金データを印字するため、利用者である顧客は、給油カード７１を廃棄せずに次回もこの給油カード７１を再利用することになる。そのため、給油カード７１のリサイクルを促進して資源の再利用効率を高めることができる。
【００５７】
次に、本発明の一実施例について説明する。
図８は本発明の制御処理を説明するためのフローチャートである。尚、図８において、Ｓ７１，７２，８１〜Ｓ９２の処理は、前述した図７のＳ５１〜Ｓ６６の処理と同様であるので、その説明は省略する。
図８において、Ｓ７３では、Ｓ７１で読み出された給油カード７１に記録された金額データ（残金）が１万円以上であるかどうかをチェックする。Ｓ７１において、給油カード７１に記録された金額データ（残金）が１万円未満のときは、Ｓ７４に移り、給油カード７１に記録された金額データ（残金）が５千円以上かどうかをチェックする。
【００５８】
Ｓ７３において、給油カード７１に記録された金額データ（残金）が１万円以上のときは、Ｓ７５に進み、メモリに予め登録された１万円の給油カード７１に対応する１リットル当りの単価（１万円のプリペイドカードに対応する割引率に基づいて算出しても良い）を読み出す。そして、Ｓ７８に進み、読み出された単価を表示して顧客に報知する。
【００５９】
また、Ｓ７４において、給油カード７１に記録された金額データ（残金）が５千円以上のときは、Ｓ７６に進み、メモリに予め登録された５千円の給油カード７１に対応する１リットル当りの単価（５千円のプリペイドカードに対応する割引率に基づいて算出しても良い）を読み出す。そして、Ｓ７８に進み、読み出された単価を表示して顧客に報知する。
【００６０】
また、Ｓ７４において、給油カード７１に記録された金額データ（残金）が５千円未満のときは、Ｓ７７に進み、メモリに予め登録された２千円の給油カード７１に対応する１リットル当りの単価（２千円のプリペイドカードに対応する割引率に基づいて算出しても良い）を読み出す。そして、Ｓ７８に進み、読み出された単価を表示して顧客に報知する。
【００６１】
次のＳ７９では、給油カード７１から読み出した残金データを油種単価で割って給油可能量としてのプリセット給油量を演算する。続いて、Ｓ８０ａに進み、紙幣挿入部３０に紙幣が挿入された否かを判定する。本実施例では、給油カード７１に記録された残金データが大きいほど割引率が大きくなるように油液の単価が設定されるため、顧客としては、入金金額を大きい金額にするほど得することになる。
【００６２】
そのため、上記Ｓ７８で表示された単価が低い場合、顧客は現金を投入することにより入金金額を大きくしてより割引率の高い単価で給油できるように金額データの入力をやり直すことができる。従って、上記Ｓ８０ａにおいて、紙幣挿入部３０に紙幣が挿入されたときは、Ｓ８０ｃに進み、紙幣挿入部３０に挿入された紙幣の入金データを給油カード７１から読み出した残金データに加算した金額データを再度、残金データとして設定する。
【００６３】
そして、前述したＳ７３に戻り、Ｓ７３以降の処理を再度実行する。この場合、残金データは、給油カード７１から読み出した残金データに紙幣挿入部３０に挿入された紙幣の入金データが加算されているので、前回よりも割引率の大きい単価で給油可能量が算出される。そのため、顧客は、例えば、当初Ｓ７７の単価が選択されていても、残金データが増額されたことによりＳ７５またはＳ７６の単価が選択されて給油可能量が算出されることになる。
【００６４】
このように、本発明では、給油前に読み込まれた給油カード７１に記録された残金データが大きいほど単価を下げることにより、給油料金を割り引きしてプリペイドカードの利用を促進できる。
【００６５】
さらに、本発明においても、前回の入金金額の大きさに応じたサービス金額を給油カード７１の磁気記録部に残金データとして書き込むため、給油カード７１の残金データがゼロにならず、給油カード７１の裏面には加算された残金データを印字するため、利用者である顧客は、給油カード７１を廃棄せずに次回もこの給油カード７１を再利用することになる。そのため、給油カード７１のリサイクルを促進して資源の再利用効率を高めることができる。
【００６６】
尚、上記実施例では、給油カード７１が磁気記録部を有するプリペイドカードからなるものとしたが、これに限らず、他の形式のカード（例えば、ＩＣカードやメモリカード等）を使用できるのは勿論である。
【００７０】
【発明の効果】
上述の如く、請求項１記載の発明によれば、プリペイドカードに記録された金額データが大きい場合、当該金額データよりも小さい金額の単価よりも低い給油単価を選択し、選択された給油単価でプリペイドカードに記録された金額データを割った給油可能量を算出してプリセットするものであり、例えば、高額紙幣が挿入された場合には、低額紙幣が挿入された場合よりも給油単価を下げることで割引率を高めてプリペイドカードのリサイクルを促進して資源の再利用効率を高めることができる。
上記請求項２記載の発明によれば、読み取り手段により読み込まれた金額データに紙幣識別手段により読み込まれた紙幣の入金金額を加算した金額を新たな金額データとし、当該金額データに対応する給油単価を選択するものであり、給油前に紙幣を挿入してプリペイドカードの金額データを増額することで給油単価を増額した金額に応じた単価に変更することが可能になり、プリペイドカードの利用を促進することにより、プリペイドカードの再利用効率を高めることができる。
上記請求項３記載の発明によれば、予めメモリに記憶された単価あるいは割引率を読み込み、当該単価あるいは割引率に基づき金額データに対応する給油単価を選択するものであり、プリペイドカードの金額データに応じた給油単価あるいは割引率で給油することが可能になり、プリペイドカードの利用を促進することにより、プリペイドカードの再利用効率を高めることができる。
【図面の簡単な説明】
【図１】  本発明になる給油システムの一実施例の構成を示すブロック図である。
【図２】  設定器１４の概略構成を示すブロック図である。
【図３】  設定器１４に設けられた操作パネルの一例を示す正面図である。
【図４】  給油カードの裏面に記載される給油料金支払いデータの一例を示す図である。
【図５】  設定器１４の制御部５４が実行する処理を説明するためのフローチャートである。
【図６】  給油カード７１を用いて給油料金を精算する場合の給油処理の参考例を説明するためのフローチャートである。
【図７】  給油カード７１を用いて給油料金を精算する場合の給油処理の別の参考例を説明するためのフローチャートである。
【図８】  給油カード７１を用いて給油料金を精算する場合の本発明の給油処理を説明するためのフローチャートである。
【図１】
0004515657.tif 000002
【図２】
0004515657.tif 000003
【図３】
0004515657.tif 000004
【図４】
0004515657.tif 000005
【図５】
0004515657.tif 000006
【図６】
0004515657.tif 000007
【図７】
0004515657.tif 000008
【図８】
0004515657.tif 000009